(57)【要約】【課題】  スタッドに設けたスリット溝に係止すると共にパネルを係止して取付ける為の係止金具であって、パネルの取付け取外しに際してスタッドに安定して係止される係止金具の提供。【解決手段】  該係止金具９は第１係止部１と第２係止部２及び両係止部を繋ぐ連結部５から成り、両係止部１，２の間には上下に開放する上下一対の開口溝が形成され、連結部５の下端から第１係止部１の上端までの高さ寸法はスタッドに形成したスリット溝１１の上下寸法よりも大きくなるように設定し、第２係止部２の上端を第１係止部１の上端とほぼ同じ高さにすると共に、第２係止部２における上部の内角部を切欠き、又、下向き開口溝４の溝幅寸法をスタッドにおける面板１０の肉厚寸法よりも僅かに大きい寸法に設定し、そして、第１係止部１の下端を第２係止部２の下端よりも下方に延ばすと共に、第１係止部１の下端にはスタッド７の係止孔１５に嵌る凸部６を形成している。【選択図】    図１
2006063724.tif 000002
【特許請求の範囲】
【請求項１】
スタッドに設けたスリット溝に係止すると共にパネルを係止して取付ける為の係止金具において、該係止金具は第１係止部と第２係止部及び両係止部を繋ぐ連結部から成り、スリット溝に挿入してスタッド面板内面に当接する縦長の第１係止部と、スタッドの外面に沿って延びる縦長の第２係止部を有し、そして両係止部の中間高さ部位間を連結部にて繋ぎ、そして両係止部の間には上下に開放する上下一対の開口溝が形成され、連結部の下端から第１係止部の上端までの高さ寸法はスタッドに形成したスリット溝の上下寸法よりも大きくなるように設定し、第２係止部の上端を第１係止部の上端とほぼ同じ高さにすると共に、第２係止部における上部の内角部を切欠き、又、下向き開口溝の溝幅寸法をスタッドにおける面板の肉厚寸法よりも僅かに大きい寸法に設定し、そして、第１係止部の下端を第２係止部の下端よりも下方に延ばすと共に、第１係止部の下端にはスタッドの係止孔に嵌る凸部を形成したことを特徴とする間仕切り装置におけるパネル係止金具。
【請求項２】
スタッドに係止した係止金具を介してパネルを係止して取付ける取付け構造において、上記係止金具は第１係止部と第２係止部及び両係止部を繋ぐ連結部から成り、スタッドに形成した縦長のスリット溝に第１係止部を挿入して該スタッド面板内面に当接し、第２係止部はスタッドの外面に沿って上下に延び、そして両係止部の中間高さ部位間を連結部にて繋ぎ、両係止部の間には上下に開放する上下一対の開口溝が形成され、連結部の下端から第１係止部の上端までの高さ寸法はスタッドに形成したスリット溝の上下寸法よりも大きくなるように設定し、第２係止部の上端を第１係止部の上端とほぼ同じ高さにすると共に、第２係止部における上部の内角部を切欠き、又、下向き開口溝にはスタッドにおける面板を嵌入し、そして、第１係止部の下端を第２係止部の下端よりも下方に延ばすと共に、第１係止部の下端に形成した凸部をスタッドの係止孔に嵌め、パネルの係止片に設けたスリット溝に上記第２係止部を嵌入してパネルを係止することを特徴とする間仕切り装置におけるパネルの取付け構造。
【発明の詳細な説明】
【技術分野】
【０００１】
本発明は間仕切り装置、特にローパーティションのパネルを引っ掛ける係止金具、及び該係止金具を介してパネルを取付けるパネル取付け構造に関するものである。
【背景技術】
【０００２】
間仕切り装置を構成するパネルをスタッドに取付ける方法は色々あるが、ツメ(係止金具)を介して引っ掛けることも出来、ネジ止めする場合に比較して簡単で作業性が良い。すなわち、スタッドに取着した係止金具にパネルに形成したスリット溝を係止することで引っ掛けることが出来る。上記係止金具をスタッドに溶接して固定することも出来るが、溶接して数多くの係止金具を所定の位置に固定する作業は面倒であると共に、スタッド面から係止金具が突出する為に搬送中に該係止金具が変形したり、勿論、係止金具が突出することで嵩張ってしまう。
【０００３】
そこで、スタッド側にもスリット溝を設けて係止し、係止された該係止金具にパネルのスリット溝を引っ掛ける場合が多い。しかし、このような方法で係止金具をスタッドに係止して取付ける場合、その安定性が悪くてパネルを引っ掛ける際に該係止金具が傾いてしまい、パネルの取付けが容易でない。また、パネルを取外す際に、係止金具がパネルと共にスタッドから外れてしまうといった問題がある。
【０００４】
特許第３３５３７２６号に係る「掛止具」は、支柱等に設けたスリットに係合させた位置でパネルに設けたフック孔を引っ掛けてパネルを支柱に着脱自在に取付ける掛止具であり、スリットに係合する第１の係合部と、この係合位置で前記フック孔に係合する第２の係合部と、これら第１の係合部と第２の係合部とをそれぞれ中間高さ位置で連絡する連絡部とから成り、パネルを抜脱する際に前記スリットに係合した位置で自身の上動をスリットの上縁に係合して禁止する禁止部を配設している。
【０００５】
上記掛止具は、スリットの上縁に係合する禁止部を配設している為に、パネルをスタッドから取外す際には該掛止具が外れることはない。しかし、パネルを取付ける場合、パネル側に形成したフック孔に第２の係合部を係合しなくてはならず、第２の係合部の上部にパネルが当ることで該掛止具は回転して傾いてしまう。すなわち、第２の係合部の上部が押された場合に、該押圧力を支えるものはなく、スタッド側へ倒れてしまい、パネル取付が容易でない。
【０００６】
実公平７−４０００４号に係る「支柱への壁パネルなどの係止装置」は、支柱の面板に穿設した縦長の係止孔に挿入して該面板内面に接当する縦長の第１係止爪と、支柱の外面に沿って延びる縦長の第２係止爪とを、両係止爪の中間高さ部位間を支持部にて繋いで、該両係止爪の間にて上下に開放する上下一対の開口溝が形成されるように構成し、この上向き開口溝に、第２係止爪に係止する壁パネル等における板状係止部を係脱自在に嵌挿し、支持部の下端から第１係止爪の上端までの高さ寸法を係止孔の上下寸法よりも大きくなるように設定し、第２係止爪の上端を第１係止爪の上端よりも低くすると共に、第２係止爪における上部の内角部を切欠き形成する一方、下向き開口溝の溝幅寸法を、支柱における面板の肉厚寸法よりも大きい寸法に設定し、第２係止爪の下端を第１係止爪の下端よりも下方に位置させると共に、第２係止爪の下端には支柱の外面に接当する突起を一体的に造形し、且つ、第１係止爪を下端に行くに従って細く成る下窄まり状に形成している。
【０００７】
しかし、係止金具を支柱に引っ掛けるだけである為に、係止金具の保持力が小さい時には、前記従来技術の場合と同じく壁パネルがこれに接触するだけで、係止金具が倒れて該壁パネルの取付が出来ないといった問題がある。又、係止金具の支柱に対する保持力を大きくする為に、溝部の幅を狭くすると、係止金具の溝部を支柱の長孔に固定するのに大きな力が必要と成り、施工性が悪くなる。一方、上り防止手段を設けていない為に、壁パネルを取外す際には係止金具が一緒に上がって、壁パネルの取外し作業が困難となる。
【特許文献１】特許第３３５３７２６号に係る「掛止具」
【特許文献２】実公平７−４０００４号に係る「支柱への壁パネルなどの係止装置」
【発明の開示】
【発明が解決しようとする課題】
【０００８】
このように、従来の係止金具には上記のごとき問題がある。本発明が解決しようとする課題はこれら問題点であり、スタッドに安定して取付けられ、取付け作業中にパネルが接触してもその向きを変えることなく、しかもパネルを取外す際にも位置ズレしない係止金具及び該係止金具を用いたパネルの取付け構造を提供する。
【課題を解決するための手段】
【０００９】
本発明の係止金具は第１係止部と第２係止部を有し、両係止部は連結部にて繋がれ、基本的な概略形状は前記特許第３３５３７２６号、及び実公平７−４０００４号の係止金具と同じである。そして、該係止金具はスタッドに設けた縦長のスリット溝に係合して取付けられ、第１係止部はスタッドの内側に配置され、第２係止部はスタッドの外側に配置される。
【００１０】
スタッドの面板には縦長のスリット溝を形成し、該スリット溝に挿入してスタッド面板内面に当接する縦長の第１係止部と、スタッドの外面に沿って延びる縦長の第２係止部を有し、そして両係止部の中間高さ部位間を連結部にて繋いだ形状と成っている。そして両係止部の間には上下に開放する上下一対の開口溝が形成され、上向き開口溝に第２係止部に係止するパネル係止片を係脱自在に嵌挿することが出来る。
【００１１】
連結部の下端から第１係止部の上端までの高さ寸法はスタッドに形成したスリット溝の上下寸法よりも大きくなるように設定し、第２係止部の上端を第１係止部の上端とほぼ同じ高さにすると共に、第２係止部における上部の内角部を切欠き形成している。又、下向き開口溝の溝幅寸法をスタッドにおける面板の肉厚寸法よりも僅かに大きい寸法に設定し、第１係止部の下端を第２係止部の下端よりも下方に位置させると共に、第１係止部の下端には凸部を形成し、スタッドに設けたスリット溝の下方の係止孔に上記凸部を係止することが出来る。
【発明の効果】
【００１２】
本発明の係止金具は第１係止部の下端は第２係止部下端より下方に位置している。従って、パネルを係止金具に係止して取付ける際に第２係止部に当接しても、該係止金具が傾くことなく安定する。すなわち、スタッドに係止して取付けた係止金具は正面からの押圧力によって回転・傾斜しない。そして、第１係止部下端に形成した凸部はスタッドのスリット溝下方に設けた係止孔に嵌っている為に、パネルを取外す際に係止金具が共に外れることはない。
【実施例】
【００１３】
図１は本発明に係る係止金具を示す実施例であり、１は第１係止部、２は第２係止部、３は上向き開口溝、４は下向き開口溝、５は連結部を夫々表している。そして、該係止金具は所定厚さの金属板が打抜かれて製作され、上記第１係止部１と第２係止部２は連結部５にて繋がれている。下向き開口溝４は第１係止部１と第２係止部２の下端部の間に形成され、その幅ａはスタッドの面板より僅かに大きく成っている。
【００１４】
そして、第１係止部１の下端には凸部６が下向き開口溝側に設けられ、第１係止部１の下端は第２係止部２の下端より下方まで延びている。一方、第１係止部１の上端と第２係止部２の上端はほぼ同じ高さであり、しかも第２係止部２の上部内角部を切欠き形成し、上向き開口溝３の幅ｂはスタッドの面板厚さにパネル係止片の厚さをプラスした寸法より僅かに大きくしている。
【００１５】
図２はスタッド７に係止金具９を介してパネル８を取付ける前の展開図である。スタッド７の正面には面板１０を貫通する縦長のスリット溝１１が設けられ、該スリット溝１１の下方には小さな係止孔１５を有し、パネル８の表面板１２を裏側へ屈曲して形成した係止片１３にもスリット溝１４を設けている。そこで、係止金具９をスタッド７のスリット溝１１に係止して取付け、この係止金具９にパネル８が係止して取付けられる。
【００１６】
図３(ａ)は係止金具９をスタッド７のスリット溝１１に係止して取付ける場合、(ｂ)はスタッド７のスリット溝１１に取付けられた場合、(ｃ)はスタッド７に取付けられた係止金具９にパネル８を係止して取付けた場合を表している。係止金具９の第１係止部１は傾いてスリット溝１１に挿入することが出来るが、この場合、上向き開口溝３にスタッド７の面板１０を侵入させて係止金具９を持ち上げ、この状態で第１係止部１の下端がスリット溝１１を通過することが出来る。
【００１７】
第１係止部１の下端がスリット溝１１を通過したところで、係止金具９を降下してスリット溝１１の下部の面板１０を下向き開口溝４に嵌める。又、第１係止部下端に形成している凸部６は係止孔１５に嵌入することが出来る。係止金具９は図３(ｂ)のようにスリット溝１１に係止して取付けられ、係止金具９は安定する。すなわち、パネル８が接触することで第２係止部２に押圧力が作用する場合、下向き開口溝４にはスタッド７の面板１０が嵌入すると共に、第１係止部１の下端が第２係止部下端より下方へ延びていてスタッド面に接することで、該係止金具９は回転傾斜することはない。
【００１８】
図３(ｃ)は該係止金具９にパネル８を係止して取付けた場合を示している。パネル係止片１３に設けたスリット溝１４に第２係止部２を挿入したところで、該パネル８を降下するならば、同図に示すように第２係止部２に係止して取付けられる。パネル８の係止片１３は上向き開口溝３に挿嵌する。そして、パネル８をスタッド７から取外す場合、パネル８を持ち上げても係止金具９は下端の凸部６が係止孔１５に嵌っていることで持ち上がることはない。
【図面の簡単な説明】
【００１９】
【図１】本発明に係る係止金具の実施例。
【図２】スタッドに係止金具を介してパネルを取付ける場合。
【図３】(ａ)は係止金具をスタッドのスリット溝に係止する場合、(ｂ)はスタッドの係止溝に係止して取付けた場合、(ｃ)は係止金具にパネルを係止して取付けた場合。
【符号の説明】
【００２０】
１  第１係止部
２  第２係止部
３  上向き開口溝
４  下向き開口溝
５  連結部
６  凸部
７  スタッド
８  パネル
９  係止金具
10  面板
11  スリット溝
12  表面板
13  係止片
14  スリット溝
15  係止孔
【図１】
2006063724.tif 000003
【図２】
2006063724.tif 000004
【図３】
2006063724.tif 000005